(57)【要約】【課題】ユーザが誤って編集を中断させた場合でもすぐに編集を再開することができ利便性が高い映像編集装置を提供する。【解決手段】タイトル一覧表示において映像データが選択され編集モードに移行する際、選択された映像データの録画開始時刻がハードディスクに記録され、編集履歴リスト表示操作がされると、ハードディスクに記録された上記録画開始時刻が表示され、その録画開始時刻が選択されると、ハードディスクに記録された映像データのうち選択された録画開始時刻の映像データを含む複数の時系列順に並んだ各映像データについての各サムネイルおよび各録画開始時刻が表示され、いずれかのサムネイルが選択されると編集モードに移行する。【選択図】図１
2008311723.tif 000002
【特許請求の範囲】
【請求項１】
記録媒体に記録された映像データの編集モードに移行する際、その編集モード移行対象映像データに関する情報を前記記録媒体に記録させる記録手段と、
操作手段の操作がされると、前記記録媒体に記録された映像データのうち前記記録媒体に記録された前記編集モード移行対象映像データに関する情報に対応する映像データを含む複数の所定数の記録時刻が時系列順に並ぶ各映像データに関する各画像を表示手段に表示させるための表示用信号を前記表示手段に出力する表示用信号出力手段と、を備え、
前記各画像のいずれかが前記操作手段の操作により選択されると、選択された画像に対応する映像データの編集モードに移行する、ことを特徴とする映像編集装置。
【請求項２】
前記編集モード移行対象映像データに関する情報が前記記録媒体に複数種類記録されている場合、前記操作手段の操作により前記表示用信号出力手段は、前記記録媒体に記録された複数種類の編集モード移行対象映像データに関する情報を前記表示手段に表示させるための表示用信号を前記表示手段に出力し、
表示された複数種類の編集モード移行対象映像データに関する情報のいずれかが前記操作手段の操作により選択されると、前記表示用信号出力手段は、前記記録媒体に記録された映像データのうち選択された編集モード移行対象映像データに関する情報に対応する映像データを含む前記複数の所定数の記録時刻が時系列順に並ぶ各映像データに関する各画像を前記表示手段に表示させるための表示用信号を前記表示手段に出力する、ことを特徴とする請求項１に記載の映像編集装置。
【請求項３】
前記記録媒体に記録された映像データの消去モードに移行する際、前記記録手段はその消去モード移行対象映像データに関する情報を前記記録媒体に記録させ、
前記操作手段の操作がされると、前記表示用信号出力手段は、前記記録媒体に記録された映像データのうち前記記録媒体に記録された前記消去モード移行対象映像データに関する情報に対応する映像データに記録時刻が最も近い映像データを含む前記複数の所定数の記録時刻が時系列順に並ぶ各映像データに関する各画像を前記表示手段に表示させるための表示用信号を前記表示手段に出力する、ことを特徴とする請求項１または請求項２に記載の映像編集装置。
【発明の詳細な説明】
【技術分野】
【０００１】
本発明は、映像編集装置に関するものである。
【背景技術】
【０００２】
昨今、ハードディスクレコーダはハードディスクの大容量化に伴い大量のタイトルを記録させることが可能となっている。ハードディスクに記録されたタイトルを編集する際、ユーザはまずタイトル一覧表示をさせていた。タイトル一覧表示をさせた時点では最後に記録されたタイトルについてのサムネイル等が表示され、それより過去に記録されたタイトルの編集をユーザが所望する場合、ユーザはそのタイトルが表示されるまでページ送り操作を行い、目的のタイトルを選択し、編集モードに移行させていた（録画タイトルの編集動作については例えば特許文献１を参照）。
【特許文献１】特開２００４−１４７２０２号公報
【発明の開示】
【発明が解決しようとする課題】
【０００３】
上記従来のハードディスクレコーダにおいては、上記編集モードに移行後ユーザが誤って編集を中断させてしまった場合、ユーザは再度タイトル一覧表示をさせていた。このとき、最後に記録されたタイトルについて表示され、目的のタイトルをページ送りにより再度探し出す必要があり、編集の再開に時間がかかってしまうといった問題点があった。
【０００４】
上記問題点を鑑み、本発明は、ユーザが誤って編集を中断させた場合でもすぐに編集を再開することができ利便性の高い映像編集装置を提供することを目的とする。
【課題を解決するための手段】
【０００５】
上記目的を達成するために本発明の映像編集装置は、記録媒体に記録された映像データの編集モードに移行する際、その編集モード移行対象映像データに関する情報を前記記録媒体に記録させる記録手段と、
操作手段の操作がされると、前記記録媒体に記録された映像データのうち前記記録媒体に記録された前記編集モード移行対象映像データに関する情報に対応する映像データを含む複数の所定数の記録時刻が時系列順に並ぶ各映像データに関する各画像を表示手段に表示させるための表示用信号を前記表示手段に出力する表示用信号出力手段と、を備え、
前記各画像のいずれかが前記操作手段の操作により選択されると、選択された画像に対応する映像データの編集モードに移行する構成としている。
【０００６】
このような構成によれば、ユーザが誤って編集を中断させた場合でも、操作手段の操作によりすぐに目的の映像データを探し出すことができ、すぐに編集を再開することができ利便性が高い。
【０００７】
また、上記構成において、前記編集モード移行対象映像データに関する情報が前記記録媒体に複数種類記録されている場合、前記操作手段の操作により前記表示用信号出力手段は、前記記録媒体に記録された複数種類の編集モード移行対象映像データに関する情報を前記表示手段に表示させるための表示用信号を前記表示手段に出力し、
表示された複数種類の編集モード移行対象映像データに関する情報のいずれかが前記操作手段の操作により選択されると、前記表示用信号出力手段は、前記記録媒体に記録された映像データのうち選択された編集モード移行対象映像データに関する情報に対応する映像データを含む前記複数の所定数の記録時刻が時系列順に並ぶ各映像データに関する各画像を前記表示手段に表示させるための表示用信号を前記表示手段に出力する構成にしてもよい。
【０００８】
このような構成によれば、過去に編集した複数の映像データからいずれかをユーザが選択し、選択された映像データと記録時刻が近い映像データをすぐに探し出せ、目的の映像データをすぐに見つけやすくすることができる。
【０００９】
また、上記構成において、前記記録媒体に記録された映像データの消去モードに移行する際、前記記録手段はその消去モード移行対象映像データに関する情報を前記記録媒体に記録させ、
前記操作手段の操作がされると、前記表示用信号出力手段は、前記記録媒体に記録された映像データのうち前記記録媒体に記録された前記消去モード移行対象映像データに関する情報に対応する映像データに記録時刻が最も近い映像データを含む前記複数の所定数の記録時刻が時系列順に並ぶ各映像データに関する各画像を前記表示手段に表示させるための表示用信号を前記表示手段に出力する構成にしてもよい。
【００１０】
このような構成によれば、既に消去された映像データと記録時刻が近い映像データをユーザはすぐに探し出すことができる。
【発明の効果】
【００１１】
本発明の映像編集装置によれば、ユーザが誤って編集を中断させた場合でもすぐに編集を再開することができ利便性が高い。
【発明を実施するための最良の形態】
【００１２】
以下、本発明の実施形態について図面を参照して説明する。ここでは、デジタル放送受信に対応したハードディスクレコーダを一例として説明する。
【００１３】
図１に、本発明に係るハードディスクレコーダの概略構成図を示す。本図に示すよう、本発明に係るハードディスクレコーダは、チューナ２と、復調部３と、エラー訂正部４と、デマルチプレクサ５と、デコード部６と、映像合成部７と、映像Ｄ／Ａ変換部８と、エンコード／デコード部９と、ＨＤＤ（ハードディスクドライブ）１０と、ＯＳＤ（Ｏｎ  Ｓｃｒｅｅｎ  Ｄｉｓｐｌａｙ）部１１と、内部時計１２と、不揮発性メモリ１３と、リモコン受信部１４と、制御部１５とを備えている。チューナ２にはアンテナ１が接続され、映像Ｄ／Ａ変換部８にはテレビ１６が接続される。
【００１４】
アンテナ１は、デジタル放送の放送電波を受信し放送電波を高周波信号に変換してチューナ２に出力する。チューナ２は、アンテナ１から入力される高周波信号から所望の周波数の高周波信号を抽出し、抽出された高周波信号を周波数変換して中間周波信号を生成し、生成された中間周波信号を復調部３に出力する。復調部３は、チューナ２から入力された中間周波信号に対してデジタル復調を行い、トランスポートストリームをエラー訂正部４に出力する。エラー訂正部４は、復調部３から入力されたトランスポートストリームに対してエラー訂正を行い、エラー訂正されたトランスポートストリームをデマルチプレクサ５に出力する。デマルチプレクサ５は、トランスポートストリームから映像ストリームを分離しデコード部６に出力する。デコード部６は、映像ストリームを伸長復号化し、復号映像データを映像合成部７に出力する。
【００１５】
また、デコード部６は、復号映像データをエンコード／デコード部９に出力もする。エンコード／デコード部９は、復号映像データを圧縮符号化し、圧縮映像データをＨＤＤ１０に出力する。ＨＤＤ１０は、ハードディスクを内蔵しており、圧縮映像データをハードディスクに記録させる。
【００１６】
また、ＨＤＤ１０は、ハードディスクから圧縮映像データを再生しエンコード／デコード部９に出力する。エンコード／デコード部９は、再生された圧縮映像データを伸長復号化し、復号映像データを映像合成部７に出力する。
【００１７】
また、ＯＳＤ部１１は、ＯＳＤ映像データを生成して映像合成部７に出力する。映像合成部７は、デコード部６またはエンコード／デコード部９からの復号映像データとＯＳＤ映像データとを合成して合成映像データを映像Ｄ／Ａ変換部８に出力する。また、映像合成部７は、上記合成をせずに復号映像データやＯＳＤ映像データを映像Ｄ／Ａ変換部８に出力もする。映像Ｄ／Ａ変換部８は、映像合成部７からの合成映像データ、復号映像データ、ＯＳＤ映像データをアナログ映像信号に変換してテレビ１６に出力し、テレビ１６に映像が表示される。
【００１８】
内部時計１２は、時刻を計測する。不揮発性メモリ１３は、例えばフラッシュメモリであり、各種設定情報が記憶される。リモコン受信部１４は、リモコン１７から赤外線信号を受信し赤外線信号をコード信号に変換して制御部１５に出力する。
【００１９】
以下、上記のような構成である本発明に係るハードディスクレコーダの動作について説明する。
【００２０】
リモコン１７の操作によりテレビ１６に表示される録画予約設定画面からユーザは録画予約が可能である。録画予約設定画面においてリモコン１７の操作により録画日、録画開始時刻、録画終了時刻、放送チャンネル、録画モードが指定されると、指定された内容の録画予約設定情報が制御部１５により不揮発性メモリ１３に記憶される。録画予約設定後、内部時計１２が計測する現在時刻が不揮発性メモリ１３に記憶された録画日および録画開始時刻で表される時刻となると、ＨＤＤ１０はハードディスクにトランスポートストリームに基づく映像データを記録開始し、内部時計１２が計測する現在時刻が不揮発性メモリ１３に記憶された録画終了時刻となると、ＨＤＤ１０は映像データの記録を停止する。そして、ＨＤＤ１０はハードディスクに録画開始時刻を記録させ、録画完了となる。
【００２１】
このような録画動作が繰り返されＨＤＤ１０のハードディスクに大量の映像データおよび録画開始時刻が記録されているものとする。ここで、リモコン１７においてタイトル一覧表示キーが入力されると、図２のフローチャートが開始される。
【００２２】
リモコン１７においてタイトル一覧表示キーが入力されると、ステップＳ２０で、ＯＳＤ部１１がＯＳＤ映像データを生成し、テレビ１６に、ＨＤＤ１０のハードディスクに記録された録画開始時刻のうち時間的に最後の録画開始時刻およびその録画開始時刻に対応する映像データのサムネイルが表示される。
【００２３】
ここでリモコン１７においてページ送り操作がされると、ステップＳ２１で、ＯＳＤ部１１が生成するＯＳＤ映像データにより、テレビ１６に、ハードディスクに記録された録画開始時刻のうち上記最後の録画開始時刻の次に時間的に古い６つの録画開始時刻およびそれらの録画開始時刻に対応する各映像データの各サムネイルが表示される。以降、リモコン１７においてページ送り操作がされるたびに、ステップＳ２１で、ハードディスクに記録された録画開始時刻のうち先に表示された録画開始時刻の次に時間的に古い６つの録画開始時刻およびそれらの録画開始時刻に対応する各映像データの各サムネイルがテレビ１６に表示される。
【００２４】
そして、ステップＳ２０またはステップＳ２１の後、リモコン１７においてサムネイルの選択操作がされると、ステップＳ２２で、ＯＳＤ部１１が生成するＯＳＤ映像データにより、選択メニューがテレビ１６に表示される。ここで、選択メニューには、「再生」「タイトル消去」「シーン削除」「チャプター編集」の各項目が含まれ、「タイトル消去」「シーン削除」「チャプター編集」のいずれかの編集項目がリモコン１７の操作により選択されるとステップＳ２３に進む。
【００２５】
ステップＳ２３で、ＨＤＤ１０は、上記選択されたサムネイルに対応する録画開始時刻を編集履歴データとしてハードディスクに記録させる。
【００２６】
そして、ステップＳ２４で、上記選択された編集項目が「シーン削除」または「チャプター編集」の場合はそれぞれに応じた編集モードに移行される。
【００２７】
「シーン削除」が選択された場合は、シーン削除画面がテレビ１６に表示され、ここでリモコン１７において再生操作がされると、上記選択されたサムネイルに対応する映像データをＨＤＤ１０がハードディスクから再生開始しシーン削除画面に再生映像が表示される。そして、再生途中でリモコン１７の操作により開始点および終了点が指定されると、上記選択されたサムネイルに対応する映像データのうち上記指定された開始点および終了点間の部分がハードディスクから消去される。
【００２８】
また、「チャプター編集」が選択された場合は、チャプター編集画面がテレビ１６に表示され、ここでリモコン１７において再生操作がされると、上記選択されたサムネイルに対応する映像データをＨＤＤ１０がハードディスクから再生開始しシーン削除画面に再生映像が表示される。そして、再生途中でリモコン１７において所定の操作がされたタイミングがチャプターの区切りポイントとしてハードディスクに記録される。
【００２９】
また、「シーン削除」および「チャプター編集」については、編集モード移行後、リモコン１７において所定の操作がされると、編集モードが解除される。
【００３０】
また、上記選択された編集項目が「タイトル消去」の場合は、ステップＳ２４で、上記選択されたサムネイルに対応する映像データおよび録画開始時刻がハードディスクから消去される。
【００３１】
ここで例えば、図４に示すようにハードディスクに録画開始時刻が記録され、これらの録画開始時刻に対応する映像データがハードディスクに記録されている場合に、リモコン１７においてタイトル一覧表示キーが操作されると、図２のフローチャートが開始され、ステップＳ２０で、ハードディスクに記録された録画開始時刻のうち時間的に最後の録画開始時刻である２００７／０５／０１  ＰＭ１０：００およびその録画開始時刻に対応する映像データのサムネイルが図５のようにテレビ１６に表示される。
【００３２】
ここで、リモコン１７においてページ送り操作がされると、ステップＳ２１で、ハードディスクに記録された録画開始時刻のうち上記最後の録画開始時刻の次に時間的に古い６つの録画開始時刻である２００７／０４／２４  ＡＭ０９：００〜２００７／０４／２９  ＡＭ０９：００までが、それらの録画開始時刻に対応する各映像データの各サムネイルと共に図６のようにテレビ１６に表示される。
【００３３】
ここで、リモコン１７の操作により２００７／０４／２４  ＡＭ０９：００のサムネイルが選択されると、ステップＳ２２で、図７のように選択メニューがテレビ１６に表示される。ここで、「チャプター編集」がリモコン１７の操作により選択されたとすると、ステップＳ２３で、図８のように、編集履歴データとして２００７／０４／２４  ＡＭ０９：００がハードディスクに記録される。そして、ステップＳ２４で、編集モードに移行し、チャプター編集が行われる。
【００３４】
チャプター編集後、再度リモコン１７においてタイトル一覧表示キーが操作されると、図２のフローチャートが開始され、ステップＳ２０で、ハードディスクに記録された録画開始時刻のうち時間的に最後の録画開始時刻である２００７／０５／０１  ＰＭ１０：００およびその録画開始時刻に対応する映像データのサムネイルが図５のようにテレビ１６に表示される。
【００３５】
以降、リモコン１７においてページ送り操作が繰り返されると、図８のようなハードディスクの記録状態により、あるときステップＳ２１で、２００７／０２／１５  ＰＭ０６：００の録画開始時刻およびその録画開始時刻に対応する映像データのサムネイルが６つのうちの１つとしてテレビ１６に表示される。ここで、２００７／０２／１５  ＰＭ０６：００のサムネイルがリモコン１７の操作により選択されると、ステップＳ２２で選択メニューが表示される。
【００３６】
ここで、「タイトル消去」がリモコン１７の操作により選択されたとすると、ステップＳ２３で、編集履歴データとして２００７／０２／１５  ＰＭ０６：００がハードディスクに記録される。そして、ステップＳ２４で、２００７／０２／１５  ＰＭ０６：００の録画開始時刻およびその録画開始時刻に対応する映像データがハードディスクから消去される。このとき、ハードディスクの記録状態は図９のようになる。
【００３７】
タイトル消去後、再度リモコン１７においてタイトル一覧表示キーが操作されると、図２のフローチャートが開始され、ステップＳ２０で、ハードディスクに記録された録画開始時刻のうち時間的に最後の録画開始時刻である２００７／０５／０１  ＰＭ１０：００およびその録画開始時刻に対応する映像データのサムネイルが図５のようにテレビ１６に表示される。
【００３８】
以降、リモコン１７においてページ送り操作が繰り返されると、図９のようなハードディスクの記録状態により、あるときステップＳ２１で、２００７／０３／２０  ＡＭ１１：００の録画開始時刻およびその録画開始時刻に対応する映像データのサムネイルが６つのうちの１つとしてテレビ１６に表示される。ここで、２００７／０３／２０  ＡＭ１１：００のサムネイルがリモコン１７の操作により選択されると、ステップＳ２２で選択メニューが表示される。
【００３９】
ここで、「シーン削除」がリモコン１７の操作により選択されたとすると、ステップＳ２３で、編集履歴データとして２００７／０３／２０  ＡＭ１１：００がハードディスクに記録される。このとき、ハードディスクの記録状態は図１０のようになる。
【００４０】
そして、ステップＳ２４で編集モードに移行するが、移行後、リモコン１７においてユーザの誤りにより所定の操作がされ、編集モードが解除されたとする。ここで、編集を再開しようとする場合、タイトル一覧表示操作を再度して、ページ送りにより２００７／０３／２０  ＡＭ１１：００のサムネイルを再度表示させて選択し、編集モードに移行してもよいが、編集の再開までに時間がかかってしまう。そこで、本発明に係るハードディスクレコーダでは、以下のような編集履歴リスト表示機能を有している。
【００４１】
リモコン１７において編集履歴リスト表示キーが入力されると、図３に示すフローチャートが開始される。
【００４２】
リモコン１７において編集履歴リスト表示キーが入力されると、ステップＳ３０で、ＯＳＤ部１１が生成するＯＳＤ映像データにより、ハードディスクに記録された編集履歴データとしての録画開始時刻がテレビ１６に一覧表示される。
【００４３】
ここで、リモコン１７の操作により録画開始時刻が選択され、選択された録画開始時刻がハードディスクに記録されている場合は（ステップＳ３１のＹ）、ステップＳ３２に進み、ＯＳＤ部１１が生成するＯＳＤ映像データにより、ハードディスクに記録された録画開始時刻のうち選択された録画開始時刻から時系列順に並ぶ６つの録画開始時刻およびそれらの録画開始時刻に対応する各映像データの各サムネイルがテレビ１６に表示される。（ただし、ハードディスクに記録された録画開始時刻のうち選択された録画開始時刻から最後の録画開始時刻までに５つ以下しか録画開始時刻がない場合は、選択された録画開始時刻から最後の録画開始時刻までの録画開始時刻およびその録画開始時刻に対応する映像データのサムネイルが表示される。）
【００４４】
ここで、リモコン１７の操作によりサムネイルが選択されると、ステップＳ３４で、選択メニューが表示される。選択メニューは前述と同様の項目を含む。そして、選択メニューのうち「シーン削除」または「チャプター編集」がリモコン１７の操作により選択されると、ステップＳ３５で、対応する編集モードに移行する。各項目が選択された場合の動作については前述と同様である。また、選択メニューのうち「タイトル消去」が選択された場合は、ステップＳ３５で、上記選択されたサムネイルに対応する映像データがハードディスクから消去される。
【００４５】
また、上記ステップＳ３０で編集履歴リストが表示された後、リモコン１７の操作により録画開始時刻が選択され、選択された録画開始時刻がハードディスクに記録されていない場合は（ステップＳ３１のＮ）、ステップＳ３３に進み、ＯＳＤ部１１が生成するＯＳＤ映像データにより、ハードディスクに記録された録画開始時刻のうち選択された録画開始時刻に最も近い録画開始時刻から時系列順に並ぶ６つの録画開始時刻およびそれらの録画開始時刻に対応する各映像データの各サムネイルがテレビ１６に表示される。（ただし、ハードディスクに記録された録画開始時刻のうち選択された録画開始時刻に最も近い録画開始時刻から最後の録画開始時刻までに５つ以下しか録画開始時刻がない場合は、選択された録画開始時刻に最も近い録画開始時刻から最後の録画開始時刻までの録画開始時刻およびその録画開始時刻に対応する映像データのサムネイルが表示される。）
【００４６】
ここでリモコン１７の操作によりサムネイルが選択されてからのステップＳ３４、Ｓ３５については前述と同様である。
【００４７】
ここで、前述した例のように録画開始時刻が２００７／０３／２０  ＡＭ１１：００の映像データについて編集モードが解除された後、リモコン１７において編集履歴リスト表示キーが入力されると、図３のフローチャートが開始される。まず、ステップＳ３０で、図１０で示すハードディスクの記録状態により、ハードディスクに記録された編集履歴データとしての録画開始時刻である２００７／０４／２４  ＡＭ０９：００、２００７／０２／１５  ＰＭ０６：００および２００７／０３／２０  ＡＭ１１：００がテレビ１６に一覧表示される。その様子を図１１に示す。
【００４８】
ここで、２００７／０３／２０  ＡＭ１１：００がリモコン１７の操作により選択されると、２００７／０３／２０  ＡＭ１１：００はハードディスクに記録されているから（図１０参照、ステップＳ３１のＹ）、ステップＳ３２に進み、ハードディスクに記録された録画開始時刻のうち２００７／０３／２０  ＡＭ１１：００〜２００７／０３／２４  ＰＭ０２：００までの６つの録画開始時刻およびそれらの録画開始時刻に対応する各映像データの各サムネイルがテレビ１６に表示される。その様子を図１２に示す。
【００４９】
ここで、２００７／０３／２０  ＡＭ１１：００のサムネイルがリモコン１７の操作により選択されると、ステップＳ３４で選択メニューが表示され、「シーン削除」がリモコン１７の操作により選択されれば、ステップＳ３５で編集モードに移行する。このように、編集モードが誤って解除された場合でも、編集履歴リストを介してすぐに目的の映像データを探し出して編集モードに移行できるので、編集をすぐに再開することができる。
【００５０】
また、図１２において、２００７／０３／２０  ＡＭ１１：００以外の録画開始時刻のサムネイルを選択して編集モードに移行することもでき、編集履歴リストに表示された録画開始時刻に近い録画開始時刻の目的の映像データをすぐに探し出して編集することができる。
【００５１】
また、図１１の編集履歴リストにおいて２００７／０２／１５  ＰＭ０６：００が選択されると、２００７／０２／１５  ＰＭ０６：００はハードディスクに記録されていないから（図１０参照、ステップＳ３１のＮ）、ステップＳ３３に進み、ハードディスクに記録された録画開始時刻のうち２００７／０２／１５  ＰＭ０６：００に最も近い２００７／０２／１４  ＡＭ０９：００から２００７／０２／２０  ＡＭ０６：００までの６つの録画開始時刻およびそれらの録画開始時刻に対応する各映像データの各サムネイルがテレビ１６に表示される。その様子を図１３に示す。
【００５２】
このように、既に消去された映像データの録画開始時刻に近い目的の映像データも編集履歴リストを介してすぐに探し出して編集することができる。
【００５３】
なお、本発明は、ハードディスクレコーダに限らず、ＤＶＤレコーダ、ＢＤレコーダ等のあらゆる映像編集装置に適用可能である。
【図面の簡単な説明】
【００５４】
【図１】は、本発明に係るハードディスクレコーダの概略構成図である。
【図２】は、タイトル一覧表示に関するフローチャートである。
【図３】は、編集履歴リスト表示に関するフローチャートである。
【図４】は、ハードディスクにおける録画開始時刻の記録状態例を示す図である。
【図５】は、タイトル一覧表示の初期画面の一例を示す図である。
【図６】は、ページ送り後のタイトル一覧表示の一例を示す図である。
【図７】は、選択メニュー表示を示す図である。
【図８】は、ハードディスクにおける録画開始時刻および編集履歴の記録状態例を示す図である。
【図９】は、ハードディスクにおける録画開始時刻および編集履歴の記録状態例を示す図である。
【図１０】は、ハードディスクにおける録画開始時刻および編集履歴の記録状態例を示す図である。
【図１１】は、編集履歴リスト表示の一例を示す図である。
【図１２】は、編集履歴リスト表示での選択後の画面例を示す図である。
【図１３】は、編集履歴リスト表示での選択後の画面例を示す図である。
【符号の説明】
【００５５】
１    アンテナ
２    チューナ
３    復調部
４    エラー訂正部
５    デマルチプレクサ
６    デコード部
７    映像合成部
８    映像Ｄ／Ａ変換部
９    エンコード／デコード部
１０    ＨＤＤ
１１    ＯＳＤ部
１２    内部時計
１３    不揮発性メモリ
１４    リモコン受信部
１５    制御部
１６    テレビ
１７    リモコン
【図１】
2008311723.tif 000003
【図２】
2008311723.tif 000004
【図３】
2008311723.tif 000005
【図４】
2008311723.tif 000006
【図８】
2008311723.tif 000007
【図９】
2008311723.tif 000008
【図１０】
2008311723.tif 000009
【図１１】
2008311723.tif 000010
【図５】
2008311723.tif 000011
【図６】
2008311723.tif 000012
【図７】
2008311723.tif 000013
【図１２】
2008311723.tif 000014
【図１３】
2008311723.tif 000015